(57)【要約】【課題】操作感を改善し、切替えた際のクリック感や音がわかりやすい、押しボタンスイッチを提供する。【解決手段】電気機器の状態を切り替える押しボタンスイッチであって、前記押しボタンと、押しボタンを押下方向と逆に押し上げるバネと、前記押しボタンの押下方向に摺動する軸筒と、電源に接続される第一と第二の二つの端子と、前記第一の端子と接続された導電体からなる導電板と、前記軸筒の摺動に対応して回転する回転子と、から成り、前記回転子はラチェット機構と、前記回転子の半径方向に突出する突起部を、前記軸筒はラチェット爪を備えており、前記押しボタンを押下することで、前記軸筒が摺動し、前記ラチェット爪が前記ラチェット機構を押下することで、前記回転子が回転し、前記突起部が前記導電板を移動させることによって、前記第二の端子と前記導電板が接触、または開放されることを特徴とする押しボタンスイッチ【選択図】  図５
2011003324.tif 000002
【特許請求の範囲】
【請求項１】
電気機器の状態を切り替える押しボタンスイッチであって、
押しボタンと、
前記押しボタンを押下方向と逆に押し上げるバネと、
前記押しボタンの押下方向に摺動する軸筒と、
電源に接続される第一と第二の二つの端子と、
前記第一の端子と接続された導電体からなる導電板と、
前記軸筒の摺動に対応して回転する回転子と、から成り、
前記回転子はラチェット機構と、
前記回転子の半径方向に突出する突起部を、
前記軸筒はラチェット爪を備えており、
前記押しボタンを押下することで、前記軸筒が摺動し、前記ラチェット爪が前記ラチェット機構を押下することで、前記回転子が回転し、前記突起部が前記導電板を移動させることによって、前記第二の端子と前記導電板が接触、または開放されることを特徴とする押しボタンスイッチ
【請求項２】
前記押しボタンの押下方向に摺動可能に、押しボタンの周囲には壁面が設けられ、
前記壁面にはリブを備えたことを特徴とする請求項１に記載の押しボタンスイッチ
【請求項３】
前記押しボタンに光を透過する透過窓を備え、
前記押しボタンの内側に発光素子を設けたことを特徴とする請求項１乃至２の何れか１項に記載の押しボタンスイッチ
【請求項４】
前記透過窓が蓄光材からなることを特徴とする請求項３に記載の押しボタンスイッチ
【請求項５】
前記押しボタンの形状が略四角形であることを特徴とする請求項１乃至４の何れか１項に記載の押しボタンスイッチ
【請求項６】
前記押しボタンの形状が略円形であることを特徴とする請求項１乃至４の何れか１項に記載の押しボタンスイッチ
【請求項７】
請求項１乃至６の何れか一項に記載の押しボタンスイッチを備えたキャビネット
【請求項８】
請求項１乃至６の何れか一項に記載の押しボタンスイッチ、若しくは請求項７に記載のキャビネットを備えた洗面化粧台
【発明の詳細な説明】
【技術分野】
【０００１】
本発明は、押しボタンスイッチに係り、特にクリック感がありながら、押しボタンのどの部位を押しても同一の力にて動作させることが可能な押しボタンスイッチに関する発明である。 
【背景技術】
【０００２】
従来の押しボタンスイッチは、特許文献１のように合成樹脂製の本体と合成樹脂製のカバーとで器体が構成されている。カバーの対向する一対の側面から垂下した本体係止脚に設けた本体係止孔を本体の係止凸部に係止させて結合している。
【０００３】
押しボタン部が円状となっていることで、押圧操作面の全外周までの中心からの距離が等しくなるが、掛合突起の位置によっては押圧操作面からの距離が遠くなってしまい、操作感が変わり、切替ずらいなどの課題があった。またスイッチを切替る際の音についてもわかりずらいなどの課題があった。
【先行技術文献】
【特許文献】
【０００４】
【特許文献１】特許３２０１６５７号公報（第３図）
【発明の概要】
【発明が解決しようとする課題】
【０００５】
本発明は、上記課題を解決するためになされたもので、本発明の課題は、押しボタンのどの位置を押しても同一の操作感が得られ、切替えた際のクリック感や音がわかりやすい、押しボタンスイッチを提供することにある。
【課題を解決するための手段】
【０００６】
上記目的を達成するために請求項１記載の発明によれば、電気機器の状態を切り替える押しボタンスイッチであって、押しボタンと、前記押しボタンを押下方向と逆に押し上げるバネと、前記押しボタンの押下方向に摺動する軸筒と、電源に接続される第一と第二の二つの端子と、前記第一の端子と接続された導電体からなる導電板と、前記軸筒の摺動に対応して回転する回転子と、から成り、前記回転子はラチェット機構と、前記回転子の半径方向に突出する突起部を、前記軸筒はラチェット爪を備えており、前記押しボタンを押下することで、前記軸筒が摺動し、前記ラチェット爪が前記ラチェット機構を押下することで、前記回転子が回転し、前記突起部が前記導電板を移動させることによって、前記第二の端子と前記導電板が接触、または開放されることを特徴とする押しボタンスイッチを提供できる。本発明により、押しボタンのどの位置を押しても同一の操作感が得られ、切替えた際のクリック感や音がわかりやすくなる。
【０００７】
請求項２記載の発明によれば、前記押しボタンの押下方向に摺動可能に、押しボタンの周囲には壁面が設けられ、前記壁面にはリブを備えた押しボタンスイッチを提供できる。本発明により、スイッチの動作耐久性を向上させることが可能となる。
【０００８】
請求項３記載の発明によれば、前記押しボタンに光を透過する透過窓を備え、前記押しボタンの内側に発光素子を設けた押しボタンスイッチを提供できる。本発明により、透過窓からスイッチの状態を示す光を透過させることが出来、スイッチの動作状態を使用者に示すことが可能となる。
【０００９】
請求項４記載の発明によれば、前記透過窓が蓄光材からなる押しボタンスイッチを提供できる。本発明により、暗所においてスイッチの場所を示すことが出来、さらに常時点灯させる必要がなくなる。
【００１０】
請求項５記載の発明によれば、前記押しボタンの形状が略四角形である押しボタンスイッチを提供できる。本発明により、略四角形のスイッチにおいても操作感がよく、クリック感がわかりやすくなる。
【００１１】
請求項６開催の発明によれば、前記押しボタンの形状が略円形である押しボタンスイッチを提供できる。本発明により、略円形のスイッチにおいても操作感がよく、クリック感がわかりやすくなる。
【００１２】
請求項７記載の発明によれば、請求項１乃至６の何れか一項に記載の押しボタンスイッチを備えたキャビネットを提供できる。本発明により、キャビネットにおける照明などのスイッチの使い勝手を向上させることが出来る。
【００１３】
請求項８記載の発明によれば、請求項１乃至６の何れか一項に記載の押しボタンスイッチ、若しくは請求項７に記載のキャビネットを備えた洗面化粧台を提供できる。本発明により、洗面化粧台における照明などのスイッチの使い勝手を向上させることができる。
【発明の効果】
【００１４】
本発明によれば、押しボタンのどの位置を押しても同一の操作感が得られ、切替えた際のクリック感や音がわかりやすい押しボタンスイッチを提供できる。
【図面の簡単な説明】
【００１５】
【図１】スイッチ１を示す斜視図である。
【図２】スイッチ１を金属枠７に取り付けた状態の正面図である。
【図３】カバー３の斜視図である。
【図４】カバー３を下面からみた斜視図である。
【図５】押しボタンスイッチ１の断面図である。
【図６】押しボタンスイッチ１の内部を上面から見た図である。
【図７】回転子２３を上面からみた斜視図である。
【図８】軸筒２９を上面からみた斜視図である。
【図９】押しボタンを上面からみた図である。
【図１０】押しボタンを側面からみた図である。
【図１１】押しボタンスイッチ１の回転子２３と可動接点１９ａ、可動接点１９ｂの動作関係図である。
【図１２】本発明を利用した化粧キャビネット４１の斜め上方から見た図である。
【発明を実施するための形態】
【実施例】
【００１６】
以下に、本発明の実施例について図を用いて説明する。
押しボタンスイッチ１は、図１のように合成樹脂製の本体２と合成樹脂製のカバー３とで構成され、本体２の係止凸部６を前記カバー３の対向する一対の側面から垂下した本体係止脚４に設けた本体係止孔５に係止させて結合している。
【００１７】
図２はスイッチ１を金属枠７に取付けた状態の正面図である。
カバー３には一方の側面に金属製の取付枠７に設けた係止手段に係止するための係止爪８と、反対側の側面には係止するための係止バネ部３７を一体に形成し突設している。前記取付枠の取付け用の係止爪８は両側面に設けてもよい。スイッチ１は、前記係止バネ３７により、金属枠７へ着脱容易に取り付けられている。
【００１８】
図３はカバー３の斜視図である。
カバー３は平面四角形状をしておりカバー３の上面部に略四角形状をした壁面２４が突出形成されており、このカバー３の壁面２４には凸状のリブ９が各壁面２４に１ヶ所以上形成されている。カバー３の壁面２４は押しボタン２５を円状にする場合には、円状の壁としてもよい。カバー３の上面中央部には軸筒２９を挿通させるための円状の孔１０が開口しており、前記孔１０のまわりは凸状の筒形状に形成されている。カバー３の壁面の下方には１ヶ所以上の開口部１１が設けてある。
【００１９】
図４はカバー３を下面からみた斜視図である。
カバー３の下面にある孔１０の下端には、スライド用溝１２と固定スライド傾斜１３が複数設けてある。カバー３裏面には端子押さえ棒３８と、そのほぼ孔１０を挟んで反対側の位置にあり、下方向にコの字形状に伸びる端子押さえ板３９がある。コの字形状の一部には切欠いた形状となっている。
【００２０】
図５は押しボタンスイッチ１の断面図である。
押しボタン２５と、押しボタン２５の押し方向と反対方向のバネ力を付与して押しボタンに復帰力を付与し押し上げるためのボタンバネ３５と、軸筒２９（と、軸筒２９の裏面に接触し押し方向と反対方向のバネ力を付与して軸筒２９に復帰力を付与する軸筒バネ３１と、軸筒バネ３１と接触する回転子２３と、回転子２３の裏面に接触し押し方向と反対方向のバネ力を付与して回転子２３に復帰力を付与するコイルバネ２６があり、コイルバネ２６の下端は本体２に設けられた円柱上凸部３９に差込み本体上面に接触している。本体２内には端子板１４、接点端子部１５、解除ボタン１６、速結端子１７などが収納してある。
【００２１】
図６は押しボタンスイッチ１の内部を上面から見た図である。
押しボタンスイッチ内部には、略くの字形状をした板状の開閉体１８が設けられている。開閉体１８は例えば銅などの導電板により形成してあり、端子板１４に支持され、端子板１４と反対側の位置に可動接点１９ａが接続されている。接点端子部１５には固定接点１９ｂが設けてあり、回転子２３に形成された回転凸部３４により前記開閉体１８が壁面方向へ押圧され、可動接点１９ａと固定接点１９ｂが接触することで、端子板１４と接点端子部１５の間が通電される。
【００２２】
プリント基板部２０の上面部に発光素子２１が設けてある。発光素子２１にはネオンランプや発光ダイオードが用いられている。プリント基板部２０には抵抗２２が取り付けられている。
【００２３】
図７は回転子２３を上面からみた斜視図である。
回転子２３の上面は上面方向に開口した円筒形状をしており、円筒内部に軸筒バネ３１が嵌合し、底面で受ける構造となっている。回転子２３の側面には底面に近傍に４ヶ所の回転凸部３４が、回転凸部３４の上方に４ヶ所の回転子ガイド用凸部３９が設けられている。また、回転子ガイド用凸部３９の上面には、傾斜したスライドカム部２８が形成されている。回転子２３の下面は下面方向に開口した円筒状となっており、円筒状の底面にコイルバネ２６の上端が接触するように取り付けられる。本実施例において、回転子２３は摺動性のよいポリアセタールにより形成されているが、材料はこれに限らない。。
【００２４】
図８は軸筒２９を上面からみた斜視図である。
軸筒２９は下面を開放した円筒状をしており、その空洞部に軸筒ばね３１が嵌合し、天面に接触する構造となっている。下部の側面には軸筒ガイド用凸部３２と、前記ガイド用凸部３２の下面及び軸筒底面にひっかけ爪部３３を形成している。
【００２５】
図９は押しボタンを上面からみた図である。
押しボタン２５は外面に露出する押し操作面が略四角形状となっている。押しボタン２５には発光素子２１の光を透過するための略四角形状をしたレンズ３６を備えている。前記レンズ３６はアクリルやポリカボネートなどの透過性の良い材料が用いられる。別の実施形態としてレンズに蓄光材を含有させたものを使用する場合もある。レンズ３６の押しボタン２５への取り付けは溶着や、勘合などが考えられるが、その他の方法でもかまわない。
【００２６】
図１０は押しボタンを側面からみた図である。
押しボタン２５は側面視形状で上下長さが短い上面閉塞の略四角筒形状である。押しボタン２５の下面部の対向する２ヶ所から下方にむけて脚２７を垂下し、脚２７の下端部に係止突起３８を設けている。押しボタン２５はカバー３に上下方向にスライド自在にはめ込むが、前記係止突起３８がカバー裏面にひっかかり、押しボタン２５がカバー３から容易に外れないようになっている。もう一方の側面からは、対向する２ヶ所からスライド用ガイド脚４０が下方に向けて垂下している。
【００２７】
図１１は押しボタンスイッチ１の回転子２３と可動接点１９ａ、可動接点１９ｂの動作関係図である。
スイッチの動作について説明する。ＯＦＦ位置から押しボタン２５を押しこむと、軸筒ガイド用凸部３２がカバー３のスライド溝１２に沿ってスライド下降し、軸筒２９のひっかけ爪部３３に係止されている回転子２３のスライドカム部２８に接触し、回転子用ガイド凸部３９がカバー３のスライド溝１２に沿って、軸筒２９とともにスライド降下していくと、コイルバネ２６は縮められ反発力を持っていく。スライドカム部２８がカバー３のスライド傾斜１３の位置までくると、スライドカム部２８はスライド傾斜１３を滑り、回転子２３が回転し軸筒２９の爪部傾斜面３０に当たりカチッと音を発して係止する。これにより、押しボタンを操作したときに適切なクリック感、及び音を得ることが出来る。
【００２８】
次に押しボタン２５の押し力を弱めていくと、軸筒２９は軸筒バネ３１の反発力により回転子２３のスライドカム部２８から離れて、カバー３のスライド溝１２により上方向にスライドし、回転子２３はコイルバネの反発力により上に押しあげられ、スライドカム部２８の傾斜がカバー３のスライド傾斜１３を滑り、回転子２３はさらに回転して、スライド傾斜１３の先のスライド傾斜壁面４７に当たりカチッと音を発して係止する。このとき回転子２３の回転凸部３４により開閉体１８が押されて可動接点１９ａは固定接点１９ｂに押し付けられスイッチが導通しスイッチＯＮの状態になる。
【００２９】
スイッチをＯＦＦする場合は、スイッチがＯＮの状態で上記と同じ動作をすることで、回転子３２の回転凸部２４が開閉体１８から離れ、可動接点１９ａが固定接点１９ｂから離れて、導通をＯＦＦすることができる。
このとき、回転子２３のスライドさせる距離を短くすることでコイルバネ２６を押す時間が短縮され操作感を良くすることができる。
【００３０】
図１２は本発明を利用した化粧キャビネット４１の斜め上方から見た図である。
化粧キャビネットは、１枚以上の鏡で構成される鏡部４２と前面を照らすための照明部４３と鏡の背面等に設けられ収納物を収納するための収納部４６と照明部４３の照明や、鏡に設けられたくもり止めヒータに電源を供給するための押しボタンスイッチ１と、ドライヤーなどの洗面化粧台で使用する機器のプラグを差し込むためのコンセント４４を備えており、押しボタンスイッチ１及びコンセント４４の周辺は樹脂製の化粧プレート４５で覆われている。
【符号の説明】
【００３１】
１  押しボタンスイッチ
２  本体
３  カバー
４  本体係止脚
５  本体係止孔
６  係止め凸部
７  取付枠
８  係止爪
９  リブ
１０孔
１１開口部
１２スライド用溝
１３スライド傾斜
１４端子板
１５接点端子
１６解除ボタン
１７速結端子
１８開閉体
１９ａ可動接点
１９ｂ固定接点
２０プリント基板部
２１発光素子
２２抵抗
２３回転子
２４壁面
２５押しボタン
２６コイルバネ
２７脚
２８スライドカム部
２９軸筒
３０爪部傾斜面
３１軸筒バネ
３２軸筒ガイド用凸部
３３ひっかけ爪部
３４回転凸部
３５ボタンバネ
３６レンズ
３７係止バネ部
３８係止突起
３９回転子ガイド用凸部
４０スライド用ガイド脚
４１化粧キャビネット
４２鏡部
４３照明部
４４コンセント
４５化粧プレート
４６収納部
４７スライド傾斜壁面
【図１】
2011003324.tif 000003
【図２】
2011003324.tif 000004
【図３】
2011003324.tif 000005
【図４】
2011003324.tif 000006
【図５】
2011003324.tif 000007
【図６】
2011003324.tif 000008
【図７】
2011003324.tif 000009
【図８】
2011003324.tif 000010
【図９】
2011003324.tif 000011
【図１０】
2011003324.tif 000012
【図１１】
2011003324.tif 000013
【図１２】
2011003324.tif 000014